(57)【要約】      （修正有）【課題】敷布団と掛布団との隙間によって生じる、肩の冷えを防ぐため、一枚の布地に敷布と掛布を兼ね備えさせ、自己の発散する体温を寝具内に留めて電熱などの熱源に頼ることなく、肩等にかかる冷えを防ぐことの出来る自己体温による肩冷え防止寝具を提供する。【解決手段】一枚の布地の中ほどに首孔５とこれに襟４を備え、この首孔横左右の部位を境に一方は肩を包み込みながら敷布２となり、他方は胸部及び腹部への掛布３とし、さらには装着脱操作を簡便にするため、首孔から布地の横端までを切り開かれた装着脱用の開閉部６を備えさらに、首孔のやや下方の左右には腕の出し入れ用に切削口７を備える。【選択図】図２
0003182581.tif 000002
【実用新案登録請求の範囲】
【請求項１】
本考案の、一片の布地に、敷布と掛布の機能を併せ持たせた寝具本体において、該寝具本体の装着脱の操作を簡便にするため、該寝具本体の中程に穿かれた首孔から、該寝具本体の端までのやや横方向で、左右いずれかの一箇所を貫通する装着脱用に切り開かれた、開閉部を備えた事を特徴とする自己体温による肩冷え防止寝具。
【請求項２】
前記、該首孔の位置する、やや下方の部位の左右適宜の箇所には、腕の出し入れを自在とするために、適宜の長さで切り込まれた、切削口を備えた事を特徴とする請求項１記載の自己体温による肩冷え防止寝具。
【考案の詳細な説明】
【技術分野】
【０００１】  本考案は、敷布団と掛布団の間の隙間から生じる冷気によって、肩に係る冷えを防ごうと、一片の布地に、敷布と掛布の機能を備えた、自己体温による肩冷え防止寝具に関する。
【背景技術】
【０００２】  厳寒期での就眠時、敷布団と掛布団との間の隙間から生じる冷気で、肩や体が冷える事や、自己が発散する体熱が、寝具外に流出する事などを防ぎ、寝具内の保温を確保しようと、現在は電熱を利用した毛布や、肩に掛ける毛布等でこれを凌いでいる。
【考案の開示】
【考案が解決しようとする課題】
【０００３】  従来は、寝具内の保温を確保しようと、電熱を利用した毛布や、非通気性の生地などで、肩を覆ってこれを行っている。また、肩部分に生じる冷えを防ぐためには、電熱による肩掛けなども市販されているが、それぞれの品々には関連性が無く、個々別々の単体として販売されていて、利用者側にとっては、個別に購入する必要があり、その費用及び電気料金など、経済的負担を余儀なくされている。
本考案は、これらを解決しようと、一片の布地に、敷布の部位としての機能と、掛布の部位としての機能との二つの機能に、さらに幾つかの機能とを併せ持たせ、前記敷布の部位にあっては、主に肩の部分を包み込んで外部からの冷気で、肩や体に感じる冷え込み感を解消させる他、一方前記掛布の部位にあっては、自己の発散する体熱を寝具内に留めさせ外部への流出を防ぎ、以って敷布の部位と掛布の部位の両機能が相俟って、外部からの冷気を遮断すると共に、自己の発散する体熱を寝具内に効率よく留めて保温し、加えて幾つかの機能も掛布の部位に併せ持たせて、人工的な熱源に頼ることなく、前述の欠点を解決しようとなされたものである。
【課題を解決するための手段】
【０００４】    本考案は、一片の布地に、敷布と掛布の機能を併せ持たせた寝具本体であって、該寝具本体には、敷布としての機能と、掛布としての機能とを兼ね備えていて、該寝具本体の中程には、首を通す首孔が穿かれていて、該首孔の周囲には、首部分の保温を保持するための襟が備えられている。また、該首孔の横側左右の部位で、該敷布としての部位と、該掛布としての部位とが、上下に分けられてはいるも繋がっていて、その、分けられた一方の部位は、肩の部分を包み込んで冷気を遮断し、背面に回って該敷布となる。もう一方の部位は、後述の開閉部と切削口を備えて胸部から腹部への該掛布となって、自己の発散する体熱を寝具内に留めて保温効果を保持する。該敷布と該掛布と二つの機能とが相俟って、外部からの冷気を遮断しながら、自己の発散する体熱を寝具内に留め、自己体熱で得た自然の温熱を外部へ漏らさず、寝具内を効率よく保温して温熱効果を高めようとするものである。
また、該寝具本体の装着脱の操作を簡便にするために、該首孔から該寝具本体の端までのやや横方向で、左右いずれかの一箇所を貫通する装着脱用の切込み開閉部を備え、該開閉部の切り込まれた切端部分には、開け閉めを簡便にするために適合する接合材を設えて開閉を自在とする。
また、該首孔の位置する、やや下方の部位の左右の適宜の箇所には、腕の出し入れを自在にするために、適宜の長さで切り込まれた切削口を備える等、一片の布地に各種の機能を具備した事によって問題を解決している。
【考案の効果】
【０００５】  上述の寝具本体によれば、一片の布地に、敷布の機能と、掛布の機能の二つの機能になお、使い勝手を良くするため、前述の開閉部と切削口の機能も加えて利便性を高められている。また、敷布の機能部分は、首孔から肩を通じて背面に敷かれるまでの部位が敷布であって、その効用は肩を包み込んで、敷布団と掛布団との間の隙間を補って、外部からの冷気を遮断し且つ、自己が発散する体熱を温存することとなる。一方掛布の機能部分は、首孔から胸部及び腹部に掛けられ、前述の開閉部及び切削口等の機能を備えた部位が掛布であって、その効用は自己の発散する体熱を外部へ漏らさず寝具内に温存するものであって、敷布と掛布との二つの機能が相俟って、外部からの冷気を遮断し、自己の発散する体熱を寝具内に留めて外部への流出を防ぎ、寝具内の保温効果を高めて、人工的な熱源などに頼ることなく且つ、無駄な出費を排除して自然にして、より安全で健康的な寝具内の保温によって、よりよい睡眠を確保出来るのである。
【考案を実施するための最良の形態】
【０００６】  本考案は、肌に優しい一片の布地に、各種の機能を具備して構成された、寝具本体１であって、該寝具本体１の中ほどには、首を通すための首孔５が穿かれていて、該首孔５は該寝具本体１を装着した際に、自動的に体が該寝具本体１の中心位置に治まるようにする為のものであり、該首孔５の周囲には、首の保温を保持する為の襟４が設けられ、該寝具本体１を装着脱する際の操作を簡便にするため、該首孔５から該寝具本体１の左右いずれかの横端までの間には、開け閉めを自在とするための切り込まれた開閉部６を備え、該開閉部６の切り込まれた切端部分には、開け閉めを簡便にするために適合する接合材を設えて開閉を自在とし、さらには、該首孔５の位置するやや下方の部位の左右適宜の箇所には、腕の出し入れを自在とするための、適宜の長さで切り込まれた切削口７を備える。
また、該首孔５を中心とした横位置方向左右の部位で、敷布２と掛布３の部位に分けられ、その部位の一方は、肩から背面に回し敷かれて該敷布２となり、他方は該敷布２と繋がっていて、前記開閉部６及び前記切削口７が設えられて、胸部から腹部へと掛けられて該掛布３となる。なお、該敷布２と該掛布３の繋がり部位が、肩を包み込んで外気を遮断すると同時に寝具内の保温効果を高める。
また、就眠中の寝返り等によって、該寝具本体１が体に纏わり付いて、背面等が露出する恐れがあり、これを防ぐ為に、該首孔５にあっては出来る範囲で大き目とし、該寝具本体１にあっては、装着時の肩幅よりも相当数幅を広目とした制作が肝要である。
【実施例】
【０００７】  以下、添付図面に従って、実施例を説明する。
１は、肌に優しい素材で構成された一片の布地に、敷布２・掛布３・襟４・首穴５・開閉部６・切削口７からを具備した寝具本体１である。
２は、首孔５を中心とした、横位置方向左右の部位から肩の左右を包み込みながら、肩から背部へ回して冷気を遮断し、肩の保温を保ち背面に敷かれ敷布としての効用を果す敷布２である。
３は、首孔５を中心とした、横位置方向左右の部位で敷布２と繋がっていて、胸部から腹部へと掛けられて、自己の発散する体熱を寝具内に留めて保温を保持する掛布３である。
４は、首周りの保温を確保するため後述の首孔５の周囲に設けられる襟４である。
５は、上記の首孔５であって、前記寝具本体１を装着した際に、自動的に体が寝具本体１の中心位置に治められるようにする為のものでもあり、同時に体が寝具本体１の中で自由に動かすことの出来るようにするための首孔５でもあり、その大きさは出来る範囲で大き目とすることが肝要である。
６は、前記寝具本体１の装着脱の操作を簡便にする為のもので、前記の首孔５から寝具本体１の左右何れか一箇所の端まで、概ね横方向へ切り込まれた開閉部６であって、該開閉部６の切り込まれた切端部分には、開け閉めを簡便に行えるようにするために、適合する接合材を設けて開閉を自在とする。
７は、前記寝具本体１の装着後に、手及び腕の出し入れ用の切削口７であって、該首孔５の部位のやや下方左右の適宜の部位に、適宜の長さに切り込まれた切削開口である。
【図面の簡単な説明】
【０００８】
【図１】図１は、本実施形態の自己体温による肩冷え防止寝具の一部分立体を含む平面図である。
【図２】図２は、本実施形態の自己体温による肩冷え防止寝具の斜視図である。
【符号の説明】
【０００９】  １  寝具本体
２  敷布
３  掛布
４  襟
５  首孔
６  開閉部
７  切削口
【図１】
0003182581.tif 000003
【図２】
0003182581.tif 000004